(57)【要約】【課題】穿刺を行う対象となる患者の血管の個体差に対応可能な穿刺練習器具及び穿刺練習器具の使用を提供する。【解決手段】本発明に係る穿刺練習器具１００は、人体の腕部を模擬した穿刺部１０と、穿刺部に挿通され人体の血管を模擬した血管部２０と、血管部の硬さを調整する調整部３０と、を有し、調整部は、実際の患者から測定した血管に関する物理量に基づいて血管部の硬さを調整する。【選択図】図１
2020086079.tif 000002
【特許請求の範囲】
【請求項１】
多層構造を備えた穿刺部と、
前記穿刺部に挿通され人体の血管を模擬した血管部と、
前記血管部の硬さを調整する調整部と、を有し、
前記調整部は、実際の患者から測定した血管に関する物理量に基づいて前記血管部の硬さを調整する穿刺練習器具。
【請求項２】
前記血管部は、中空状に形成され、流体を流通可能に構成される請求項１に記載の穿刺練習器具。
【請求項３】
前記穿刺部は、多層構造における隣接する層同士の間に顆粒を配置している請求項１又は２に記載の穿刺練習器具。
【請求項４】
前記穿刺部の内部には、ゲルが充填されている請求項１〜３のいずれか１項に記載の穿刺練習器具。
【請求項５】
請求項１〜４のいずれか１項に記載の前記調整部を用いて前記血管部の硬さを調整し、前記穿刺部から穿刺器具を前記血管部に穿刺する穿刺練習器具の使用。
【発明の詳細な説明】
【技術分野】
【０００１】
本発明は、穿刺練習器具及び穿刺練習器具の使用に関する。
【背景技術】
【０００２】
医療現場では薬剤の投与等に留置針等を用いた穿刺が行われる。上記薬剤は末梢静脈等を介して投与されるものの、血管への穿刺が成功する確率は５０−６０％とそれほど高くない。このような血管への穿刺を向上させる従来の技術には血管を模したモデルを用いて穿刺の練習を行う器具がある。このような器具には、実際の手技において血管の画像を見ることができるように近赤外光吸収性を有する部材を練習器具に使用するものがある（特許文献１参照）。
【先行技術文献】
【特許文献】
【０００３】
【特許文献１】特許第６０６１３１８号明細書
【発明の概要】
【発明が解決しようとする課題】
【０００４】
ただし、人間の腕と言っても成人男性、成人女性、小児、老人等のように腕の形状は多様に存在し、対象となる人の腕によって血管の状態は当然異なる。そのため、血管への穿刺を練習する練習器具には、より現実を模擬するに当たり、成人男性等の健常者だけでなく、小児や老人等のように穿刺が比較的難しい血管の状態を模擬できることが好ましい。
【０００５】
そこで本発明は、穿刺を行う対象となる患者の血管の個体差に対応可能な穿刺練習器具及び穿刺練習器具の使用を提供することを目的とする。
【課題を解決するための手段】
【０００６】
上記目的を達成する本発明に係る穿刺練習器具は、人体の腕部を模擬した穿刺部と、前記穿刺部に挿通され人体の血管を模擬した血管部と、前記血管部の硬さを調整する調整部と、を有し、前記調整部は、実際の患者から測定した血管に関する物理量に基づいて前記血管部の硬さを調整する。また、本発明は、上記穿刺練習器具の使用である。
【発明の効果】
【０００７】
本発明に係る穿刺練習器具及び穿刺練習器具の使用によれば、調整部が実際の患者から測定した血管に関する物理量に基づいて血管部の硬さを調整する。そのため、穿刺の易しい場合や難しい場合等のように患者の個体差に対応して様々なパターンでの穿刺の練習を行うことができる。
【図面の簡単な説明】
【０００８】
【図１】本発明の一実施形態に係る穿刺練習器具を示す斜視図である。
【図２】図１の穿刺練習器具を構成する穿刺部の層構造を示す部分断面図である。
【図３】穿刺練習器具を構成する調整部を示すブロック図である。
【図４】穿刺練習器具の使用について示すフローチャートである。
【図５】図２の変形例を示す断面図である。
【発明を実施するための形態】
【０００９】
以下、添付した図面を参照しながら、本発明の実施形態を説明する。
【００１０】
図１は、本発明の一実施形態に係る穿刺練習器具１００を示す斜視図である。図２は、図１の穿刺練習器具１００を構成する穿刺部１０の層構造を示す部分断面図である。図３は、穿刺練習器具１００を構成する調整部３０を示すブロック図である。本実施形態に係る穿刺練習器具１００は、薬剤の末梢静脈投与の際等に用いられる。
【００１１】
穿刺練習器具１００は、図１に示すように穿刺部１０と、血管部２０と、調整部３０と、を有する。
【００１２】
（穿刺部）
穿刺部１０は、人体の腕部を模擬するように構成している。穿刺部１０は、図１に示すように本実施形態において断面が略円状のものを断面と直交する方向に延在するように形成している。穿刺部１０は、図１に示すように本体部１１と、回転軸１２と、開閉部１３と、掌１４と、を備える。
【００１３】
本体部１１は、注射針等の医療器具で実際の人体の腕部等を穿刺する際を再現できるように、外表面に交差する方向であって、表面となる部分に薄膜の多層構造を設けている。本体部１１は、図２に示すように第１層１１ａ、第２層１１ｂ、第３層１１ｃ、第４層１１ｄ、第５層１１ｅ、第６層１１ｆ、第７層１１ｇを備える。
【００１４】
第１層１１ａ〜第７層１１ｇは、順に実際の皮膚の表皮、真皮、皮下組織、筋層、血管の外膜、平滑筋、及び血管内皮を再現するように構成している。また、第１層１１ａ〜第７層１１ｇを含む本体部１１の内部には、一例としてシリコーンゲル等を充填している。
【００１５】
ただし、本体部１１の表面を人体の皮膚に模擬できれば、層の数や層を構成する材料は上記に限定されない。
【００１６】
本体部１１の内部には上述したゲルとともに図１に示すように血管部２０を配置している。回転軸１２は本体部１１に設けている。回転軸１２は、本体部１１に対して開閉部１３を回転可能に接続している。
【００１７】
これにより、後述する血管部２０の穿刺部１０に対する位置を調整でき多様な患者の血管配置を再現することができる。
【００１８】
掌１４は、実際の患者への穿刺を再現するように本体部１１の長手方向における端部に設けている。
【００１９】
（血管部）
血管部２０は、少なくとも一部が穿刺部１０に挿通され、人体の血管を模擬するように構成している。血管部２０は、一本の腕に相当する穿刺部１０の内部に中空状の管体を実際の血管に模擬して配置するように構成している。血管部２０の内部には流体を流通可能にすることによって血圧を再現するように構成している。
【００２０】
血管部２０は、多様な患者の血管を再現できるように管体の肉厚、層数、材質等を変化させたものを複数種類用意することができる。血管部２０の一例として、穿刺部１０のゲルと共に硬く、逃げる血管を再現するために、内側が硬く外側が柔らかい模擬血管を用意することができる。また、血管部２０の他の例として、内圧が掛かっても割れないように多層にした薄い壁であって、針が血管に穿刺された際の「プチッ」と破裂するような感覚を再現した模擬血管等を用意することができる。
【００２１】
血管部２０は、人体の血管を模擬できるように比較的柔らかい可撓性チューブによって構成できる。一例として、シリコーンチューブ、塩化ビニルチューブ、天然ゴムチューブ、ポリウレタンチューブ、ポリプロピレンチューブ等を挙げることができる。また、血管部２０は、複数種類用意し、模擬する者の血管の硬度に応じて取替えできるように穿刺部１０に対して着脱自在に構成できる。
【００２２】
（調整部）
調整部３０は、実際の患者から測定した血管に関する物理量に基づいて血管部の硬さを調整する。調整部３０は、図３に示すように流体を充填したタンク３１と、電源部３２と、血管接続部３３と、駆動部３４と、制御部３５と、筐体３６と、を備える。
【００２３】
タンク３１は、血管部２０の内腔に流通させる流体を貯留可能に構成している。タンク３１には、患者の血管の多様性を考慮して様々な種類、例えば粘性や比重等の異なる流体を貯留可能に構成している。タンク３１は、血管部２０と同様に患者の血管の状態を多様に模擬できるように充填する流体を取替え可能に構成している。
【００２４】
電源部３２は、後述する駆動部３４の駆動を切り替え可能に構成している。電源部３２は、電力の供給を可とすることで、駆動部３４を起動させ、不可とすることで、駆動部３４を起動できないように切り替える。
【００２５】
血管接続部３３は、血管部２０との接続部位であり、タンク３１からの流体を液密に血管部２０に供給可能にする。血管接続部３３にはゴムシール、パッキン等の公知のシール部材を設けることができる。
【００２６】
駆動部３４は、タンク３１に貯留した流体を血管部２０の流路に流通可能にする。駆動部３４はタンク３１の流体を血管部２０に流通できれば、具体的な構成は特に限定されないが、一例としてポンプ等を挙げることができる。
【００２７】
制御部３５は、実際の患者から測定した血管に関する物理量に基づいて血管部２０の硬さを調整する。上記物理量に基づく評価系について、例えば硬い血管とは、固定された血管に外力を加えて血管が規定の扁平率（％）になったときの外力と設定することができる。
【００２８】
また、一例として血管が潰れるとは、固定された血管に規定外力（Ｎ又はｇｆ）を加えて血管が変形した際の長径と短径の比と設定することができる。また、逃げるとは固定されていない血管に規定外力（Ｎ又はｇｆ）を加えた際に、変形せずに移動した距離と設定することができる。
【００２９】
また、制御部３５は、血管部２０に供給する流体の流量を調整できるように構成してもよい。
【００３０】
筐体３６は、タンク３１〜制御部３５を搭載するように構成している。また、筐体３６には使用者が制御部３５を通じて血管の流量を調整できるように段階的に流量を調整するつまみ（図示省略）を設けている。
【００３１】
（穿刺練習器具の使用）
次に本実施形態に係る穿刺練習器具１００の使用について説明する。図４は本実施形態に係る穿刺練習器具１００の使用について示すフローチャートである。
【００３２】
まず、使用者は回転軸１２を基点として開閉部１３を開く。次に、使用者は練習する患者の血管の状態に応じて血管部２０と血液に相当する流体の種類を選択する。血管部や血液に相当する流体の種類の分類は特に限定されないが、例えば健常者男性や健常者女性、老人、小児等のように分類できる。
【００３３】
次に、使用者は、穿刺部１０に設置された血管部２０の本体部１１に対する相対的な位置を調整する（ＳＴ１）。血管走行によっても患者の穿刺のしやすさは変わるためである。
【００３４】
血管部２０の位置を調整したら、開閉部１３を本体部１１に接近させて閉じた状態とする。次に、電源部３２をオンの状態にする。これにより、制御部３５は、駆動部３４に所定の流量の流体を血管部２０に供給させる（ＳＴ２）。
【００３５】
穿刺の練習を行う者は、この状態で与えられた注射針等の医療器具を用いて穿刺練習器具１００の穿刺部１０から血管部２０に向けて穿刺を行う（ＳＴ３）。穿刺部１０は上述のように実際の皮膚を模擬して多層に構成しているため、針等が皮膚に相当する箇所を挿通する臨場感を模擬（再現）することができる。
【００３６】
穿刺が終了したら、注射針等の医療器具を穿刺練習器具１００の血管部２０から抜去する。そして、電源部３２をオフに切り替える。
【００３７】
以上説明したように、本実施形態に係る穿刺練習器具１００は、穿刺部１０と、血管部２０と、調整部３０と、を有する。穿刺部１０は多層構造を備えるように構成している。血管部２０は、穿刺部１０に挿通され、人体の血管を模擬するように構成している。調整部３０は、実際の患者から測定した血管の硬さや柔らかさ等を再現する物理量に基づいて血管部２０の硬さを調整するように構成している。
【００３８】
従来の医療器具にも穿刺を練習するものは存在するかもしれない。ただし、仮にそのような器具が存在するとしても、成人である健常人ではなく、小児、老人といった穿刺が比較的難しい血管を再現するものは見当たらない。
【００３９】
これに対して本実施形態に係る穿刺練習器具１００は、調整部３０によって実際の患者から測定した物理量に基づいて血管に血管部２０の硬さを調整するように構成している。
【００４０】
これにより、血管が硬かったり、穿刺の際に血管が意に反して潰れてしまったり、逃げたりするといった状況を再現することができる。そのため、特に臨床経験の少ない医療従事者が穿刺練習器具１００を用いて、穿刺が比較的難しい場合の練習を行うことができ、スキルアップを図ることができる。
【００４１】
また、穿刺が難しい場合は穿刺の成功確率が低くなりやすいため、上記のように構成することによって、穿刺の成功確率を向上させ、患者の苦痛を低減することができる。また、穿刺の成功確率が向上することによって、穿刺器具の使用量を減らしてコストダウンを図ることができる。また、上記のように特に穿刺が難しい場合の穿刺の練習ができることによって、経験豊富な看護師又は医師に頼らずにすむことが期待でき、これにより人件費を抑制できることが期待できる。
【００４２】
また、穿刺部１０は、外表面に交差する方向において第１層１１ａ〜第７層１１ｇのように多層に構成している。
【００４３】
これにより、注射針等の医療器具が穿刺の際に挿通する表皮、真皮、皮下組織、筋層、血管の外膜、平滑筋、血管内皮といった構造を模擬し、穿刺の際の臨場感を向上させることによってより現実に即した穿刺の練習を行うことができる。
【００４４】
また、血管部２０は中空状に形成し、流体を流通可能に構成している。これにより、穿刺練習器具１００において血圧を再現することで、硬い血管や潰れやすい血管等を再現し易くできる。そのため、より多様な患者の穿刺練習を模擬でき、経験の少ない医療従事者のスキルアップを図ることができる。
【００４５】
また、穿刺部１０の内部にはシリコーン等のゲルを配置するように構成している。これにより、穿刺の際に血管が注射針から逃げるといった状況を再現できる、又は再現し易くなり、穿刺の際の臨場感をさらに向上させることができる。
【００４６】
また、上述した穿刺練習器具１００を用いて血管部２０の硬さを調整し、穿刺部１０から穿刺器具を血管部２０に穿刺することによって、経験の少ない医療従事者のスキルアップを図ることができる。
【００４７】
なお、本発明は上述した実施形態にのみ限定されず、特許請求の範囲において種々の改変が可能である。
【００４８】
上記では、穿刺部１０が回転軸１２、開閉部１３、掌１４を備える実施形態について説明したが、これに限定されない。上記以外にも穿刺部は回転軸１２、開閉部１３、及び掌１４を備えないものも本発明の一実施形態に含まれる。
【００４９】
また、上記では穿刺部１０が腕部を再現するように断面が略円形状のものである実施形態について説明した。しかし、これに限定されず、腕部の一部を再現するように穿刺部を平面又は曲面である扁平なシート状に構成したものも本発明の一実施形態に含まれる。
【００５０】
図５は図２の変形例に係る穿刺部１０ａを示す部分断面図である。上記では実際の人体の腕部を模擬する穿刺部１０において皮膚に相当する第１層１１ａ〜第７層１１ｇが隣接する実施形態について説明した。しかし、これに限定されない。
【００５１】
上記以外にも図５に示すように、皮膚に相当する第１層１１ａ〜第７層１１ｇの多層構造において隣接する層と層との間には例えば石灰化した患者の腕部を模擬するために顆粒１１ｈ等を配置するように構成してもよい。
【００５２】
石灰化した患者の腕部は、ざらついているような質感を持つ場合がある。これについて、上記のように皮膚に相当する第１層１１ａ〜第７層１１ｇにおいて隣接する層同士の間に顆粒を配置することによって、そのような質感をも再現できる。また、上記のように構成することによって、穿刺が難しい場合の腕部を再現することができ、経験の少ない医療従事者のスキルアップや穿刺成功率の向上を図ることができる。
【符号の説明】
【００５３】
１０  穿刺部、
１１ａ  第１層、
１１ｂ  第２層、
１１ｃ  第３層、
１１ｄ  第４層、
１１ｅ  第５層、
１１ｆ  第６層、
１１ｇ  第７層、
１１ｈ  顆粒、
２０  血管部、
３０  調整部、
１００  穿刺練習器具。
【図１】
2020086079.tif 000003
【図２】
2020086079.tif 000004
【図３】
2020086079.tif 000005
【図４】
2020086079.tif 000006
【図５】
2020086079.tif 000007